(57)【要約】      （修正有）【課題】安全に持ち運ぶことが出来、かつ、使い勝手がよい釣用すくいあげ具を提供する。【解決手段】柄６が複数の振出式の複合管６−１から６−ｎで構成され、長手方向に伸縮自在とし、最先端の柄部材６−１に対して伸縮自在の軸１の先端に複数の「く」状の鉤３ｃの基部を旋回自在に固定した釣用すくいあげ具において、前記旋回自在な複数の放射状鉤部材３ｃの前後を挟み、一体に連結された拡、縮径摺動筒体２の元部の勘合部２ｄが勘合固定される緩衝筒５ａ、勘合受け筒５ｂが固定され、この状態では前期複数の放射状鉤部材３ｃが拡、縮径摺動筒体２の前部に位置する縮径部材２ａによって付勢され、縮径して、安全な収納状態になり、勘合部２ｄが緩衝筒５ａ、勘合受け筒５ｂから解除された状態では拡、縮径摺動筒体２の後部に位置する拡径部材２ｂと付勢部材４によって、複数の放射状鉤部材３ｃが拡径方向に付勢され、拡径して、使用出来る状態になる。【選択図】図1
0003148157.tif 000002
【実用新案登録請求の範囲】
【請求項１】
柄が複数の振出式の複合管で構成され、長手方向に伸縮自在とし、最先端の柄部材に対して伸縮自在の軸の先端に複数の「く」状の鉤の基部を旋回自在に固定して、これらの各鉤を放射状に拡径して使用したり、縮径して収納する釣用すくいあげ具において、前記軸以外のいずれかひとつの柄部材の先端部に前記旋回自在な複数の放射状鉤部材の前後を挟み、一体に連結された拡、縮径摺動筒体の元部の勘合部が勘合固定される緩衝筒、勘合受け筒が固定され、拡、縮径摺動筒体の元部の勘合部が緩衝筒、勘合受け筒に固定された状態では前期複数の放射状鉤部材が拡、縮径摺動筒体の前部に位置する縮径部材によって付勢され、縮径して、安全な収納状態になり、拡、縮径摺動筒体の勘合部が緩衝筒、勘合受け筒から解除された状態では拡、縮径摺動筒体の後部に位置する拡径部材とこれを付勢する付勢部材によって、複数の放射状鉤部材が拡径方向に付勢され、拡径して、使用出来る状態になることを特徴とする釣用すくいあげ具。
【考案の詳細な説明】
【技術分野】
【０００１】      この考案は、イカ釣り等で使用される鉤式の釣用すくいあげ具に関する。
【背景技術】
【０００２】      釣用すくいあげ具には、釣った獲物を網で掬い上げる網式のものと、獲物を鉤で引っ掛けてすくい上げる鉤式のものがある。イカ釣りにおいては、網式の掬い上げ具ではイカが足を網の外へ出して逃げやすいので、鉤式のすくい上げ具がよく使用される。このイカ釣りでよく使用される鉤式のすくい上げ具は、最先端の柄部材の先端部に複数の「く」状の鉤の基部を旋回自在に固定して、放射状に拡径して使用し、柄が振出式のテーパーを有する複数の柄部材からなり、各柄部材を長手方向へ伸縮自在とすることによって、イカをすくう時は、柄を長く伸ばし、使用後は持ち運びに便利なように柄を縮められるようにしたものが多い。【０００３】      実用新案登録第３０９１２７７号（以下「先行技術１」という）においては、最先端の柄部材の先端へ複数の鉤の基部を固定してこれらの各鉤を放射状に張り出して使用する釣用すくいあげ具において、最先端を除く柄の先端へケースを設け、各柄部材の先端位置が概ね揃うように柄を縮めた時に、各鉤をケースへ収納できるようにした提案がなされている。【０００４】      しかしながら、「先行技術１」の考案では、収納しようとする時は、各鉤が拡径したままでは、ケースへ収納できないため、左手で柄を持ち、右手で複数の鉤を縮径するように包み込んで用心深くケースへ収納する必要があった。【０００５】      「先行技術１」の考案では、ケースと蓋の勘合が時間の経過と共に甘くなって蓋が自然に開き、鉤を拡径方向へ付勢するバネが老化することによって、鉤をケースへ圧接する力が減少し、すくいあげ具を背負った状態で前傾姿勢になり、釣りに集中していると鉤がケースから飛び出し、驚いて直立すると鉤が頭上から落下してくる恐れがあった。
【考案の開示】
【考案が解決しようとする課題】
【０００６】      安全に持ち運ぶことが出来、かつ、使い勝手がよい釣用すくいあげ具を提供する。
【課題を解決するための手段】
【０００７】      上記の課題を解決するため、この考案は、柄６が複数の振出式の複合管６−１から６−ｎで構成され、長手方向に伸縮自在とし、最先端の柄部材６−１に対して伸縮自在の軸１の先端に複数の「く」状の鉤３ｃの基部を旋回自在に固定して、これらの各鉤３ｃを放射状に拡径して使用したり、縮径して収納する釣用すくいあげ具において、前記軸１以外のいずれかひとつの柄部材６−１から６−ｎの先端部に前記旋回自在な複数の放射状鉤部材３ｃの前後を挟み、一体に連結された拡、縮径摺動筒体２の元部の勘合部２ｄが勘合固定される緩衝筒５ａ、勘合受け筒５ｂが固定され、拡、縮径摺動筒体２の元部の勘合部２ｄが緩衝筒５ａ、勘合受け筒５ｂに固定された状態では前期複数の放射状鉤部材３ｃが拡、縮径摺動筒体２の前部に位置する縮径部材２ａによって付勢され、縮径して、安全な収納状態になり、拡、縮径摺動筒体２の勘合部２ｄが緩衝筒５ａ、勘合受け筒５ｂから解除された状態では拡、縮径摺動筒体２の後部に位置する拡径部材２ｂとこれを付勢する付勢部材４によって、複数の放射状鉤部材３ｃが拡径方向に付勢され、拡径して、使用出来る状態になるようにした。
【考案の効果】
【０００８】      イカが掛かった場合は、柄の元部材を持ち、海へ向かって強く振り出す。すると、その勢いで拡、縮径摺動筒体の最元部のテーパー部は緩衝筒、勘合受け筒との勘合が解かれ、拡、縮径摺動筒体と軸は前方へ飛び出すと同時に、付勢部材と固定リングによって付勢された拡、縮径摺動筒体の拡径部材によって、複数の鉤が拡径され、瞬時に使用可能な状態となる。【０００９】      収納時は、いずれかの手で柄を持って拡、縮径摺動筒体蓋を何か（岸壁または路面）へ押し当てるか、もう一方の手で押し込むのみで、複数の鉤は縮径し、拡、縮径摺動筒体の勘合部が緩衝筒、勘合受け筒へ十分に勘合したことを確認すれば良い。複数の鉤へ直接触れる必要が無いため、安全である。【００１０】      更に、本考案では、拡、縮径摺動筒体の元部の勘合部には、長さ方向へ所望の間隔で周方向の溝を設け、収納状態と振出す時の放出の容易さを考慮した上で、勘合長さが適切かどうか、釣り人が判断できる目安を設け、各釣り人が好む勘合程度を選択できるようにしたことにより、付勢材の老化などによる勘合程度の変化に対応が出来るため、安全である。
【考案を実施するための最良の形態】
【００１１】      以下、図１乃至図１３に基づき、この考案の実施形態を説明する。本考案のすくい上げ具は、図１に示すように、伸縮自在の振出式に構成された複数のテーパー状の柄（６−１から６−ｎ）からなる柄６と最先端の柄６−１に強固に接着固定されたメスネジを有する金具６−１ａにフランジ付きナット５ｃを螺合し、勘合受け筒５ｂと一体に固着された緩衝筒５ａとを固定している。【００１２】      フランジ付きナット５ｃの内径を貫通するガラス繊維とエポキシ樹脂の複合材をテーパー状に加工した軸１ｂの元部と中央部にはそれぞれ固定リング１ｅと固定リング１ｄが接着固定されている。軸１ｂの先端にはパイプ部材１ａが接着固定されており、その最先端のオスネジ１ａｎには、旋回中心金具３ａが螺合し接着固定されている。図７に示すように、旋回中心金具３ａの周囲へは複数の切込み部３ａｍがあり、ここへ図９に示す複数の鉤３ｃが左右動を規制された状態で勘合しており、鉤３ｃに設けられた孔にはワイヤー３ｂが通され、このワイヤー３ｂを中心に鉤３ｃは放射状に旋回し、拡径、縮径を行う。【００１３】      複数の鉤３ｃの前部には図５に示すように、拡、縮径摺動筒体２の縮径部材である蓋２ａが常時、鉤３ｃに当接する状態で配置されている。鉤３ｃの後方へは前記拡、縮径摺動筒体蓋２ａと連結され、一体に構成された拡径部材２ｂが固定リング１ｃと図８に示す圧縮コイルバネ４によって、前方へ付勢された状態で鉤３ｃを付勢または離合できる様に配置されている。図６に示すように、拡、縮径摺動筒体２の後部は勘合長さを確認するための周方向の複数の溝２ｃがあり、最元部は図１０に示す緩衝筒５ａ、図１１に示す勘合受け筒５ｂに勘合するテーパー部２ｄを有している。【００１４】      複数の鉤３ｃを収納する場合は、柄６の元部材６−ｎを片手で持ち、拡、縮径摺動筒体２の縮径部材である拡、縮径摺動筒体蓋２ａをもう一方の手で手元へ寄せるように操作すると、複数の鉤３ｃは縮径部材である拡、縮径摺動筒体蓋２ａに押されて縮径する。更に、手元へ寄せると固定リング１ｄがフランジ付きナット５ｃへ当接するため軸１ｂは後退できなくなるが、拡、縮径摺動筒体２は圧縮コイルバネ４の付勢力に抗って、更に後退し、拡、縮径摺動筒体２の最元部のテーパー部２ｄは緩衝筒５ａ、勘合受け筒５ｂに勘合し、拡、縮径摺動筒体２の拡径部材２ｂは複数の鉤３ｃから離合してしまうことによって、複数の鉤３ｃは拡、縮径摺動筒体２の縮径部材である拡、縮径摺動筒体蓋２ａによって完全に縮径され、図１に示すように、鉤３ｃの鋭い先端は軟質のゴムによって成型された緩衝筒５ａへ強く密着した状態になり、釣り人にとって、安全な状態となる。【００１５】      前記した圧縮コイルバネ４が圧縮された状態で収納されているため、使用開始時に柄６を振ることで、軸１が飛び出し易くなるが、この圧縮コイルバネの付勢力は複数の鉤３ｃを軽く押し出す程度の小さい力で良い。何故ならば、イカを鉤３ｃですくい上げる場合に掛かる力は複数の鉤３ｃを拡げる方向に働くからである。【００１６】      複数の鉤３ｃが拡がる最大径の大小は、拡、縮径摺動筒体２の拡径部材２ｂの底辺が旋回中心金具３ａへ当接して前進できなくなる前進限位置と拡、縮径摺動筒体蓋２ａとの位置関係によって決まり、イカをすくい上げることによって、その負荷が複数の鉤３ｃにかかっても複数の鉤３ｃはそれ以上拡径することはない。【００１７】      本考案のすくい上げ具の使用方法について説明する。釣り場へ到着したら、図１３に示すフック付きネット８の片方のフックをはずし、柄の元部材６−ｎの先端部へ巻き付け、フックを図１２に示すマジックファスナーベルト７のスプリットリングへ掛けて操作の邪魔にならないようにする。更に、柄６の先端部材６−１の先端へ接着固定されている口栓を柄の元部材６−ｎから抜いておく。この状態ですくい上げ具の準備は完了したため、柄の元部材６−ｎへ肩掛けベルトを付けて背中へ背負ったり、足元へおいて、イカ釣りに専念する。【００１８】      イカが掛かった場合は、柄の元部材６ーｎを持ち、海へ向かって強く振り出す。すると、その勢いで拡、縮径摺動筒体２の最元部のテーパー部２ｄは緩衝筒５ａ、勘合受け筒５ｂとの勘合が解かれ、拡、縮径摺動筒体２と軸１は前方へ飛び出すと同時に、付勢部材４と固定リング１ｃによって付勢された拡、縮径摺動筒体２の拡径部材２ｂによって、複数の鉤３ｃが拡径され、図２に示すように、使用可能な状態となる。軸１は固定リング１ｅがフランジ付きナット５ｃの後端へ当接し、それ以上の前進を停められる。柄の元部材６ーｎを前傾させることによって、複数の振出式の複合管で構成された柄６が伸長され、複数の鉤３ｃはイカがいる場所へ到達し、イカをすくい上げることが出来る。【００１９】      釣り人はイカをすくい取ると、複数の柄６を元から順次収納してイカを捕獲する。
釣り人は柄の元部材６−ｎを持ち、拡、縮径摺動筒体蓋２ａをもう一方の手で押さえるか又は、岸壁や路面へ押し当てることによって、軸１は柄の先端部６−１に収納される。更に押し込むと拡、縮径摺動筒体２の最元部のテーパー部２ｄは緩衝筒５ａ勘合受け筒５ｂに勘合し、拡、縮径摺動筒体２の拡径部材２ｂは複数の鉤３ｃから離合してしまうことによって、複数の鉤３ｃは拡、縮径摺動筒体２の縮径部材である拡、縮径摺動筒体蓋２ａによって完全に縮径され、鉤３ｃの鋭い先端は軟質のゴムによって成型された緩衝筒５ａへ強く密着した状態になり、釣り人にとって、安全な状態となる。【００２０】      別の実施例図３、図４では、軸１は元端へ設けたテーパー状の勘合部によって振出式の小継竿１６の先端部材１６−１へ、勘合するように構成されている。緩衝筒５ａ、勘合受け筒５ｂは振出式小継竿１６の先端部材１６−１の外周へ接着、固定されているが、振出式小継竿１６の先端部材１６−１ではなく、より元側に近い柄１６−２，１６−３や元部材１６−ｎに接着、固定してもよい。
【図面の簡単な説明】
【００２１】
【図１】  第１の実施形態の収納状態を示す要部の縦断正面図
【図２】  第１の実施形態の使用状態を示す要部の縦断正面図
【図３】  第２の実施形態の収納状態を示す要部の縦断正面図
【図４】  第２の実施形態の使用状態を示す要部の縦断正面図
【図５】  拡、縮径摺動筒体蓋２ａの縦断正面図
【図６】  拡、縮径摺動筒体拡径部材２ｂの平面図、縦断正面図
【図７】  旋回中心金具３ａの平面図、縦断正面図
【図８】  圧縮コイルバネ４の平面図
【図９】  鉤３ｃの平面図、正面図
【図１０】  緩衝筒５ａの平面図、縦断正面図
【図１１】  勘合受け筒５ｂの平面図、縦断正面図
【符号の説明】
【００２２】１                        軸
１ａ                      パイプ部材
１ａｎ                    パイプ部材の最先端のオスネジ
１ｂ                      複合材からなる軸
１ｃ                      固定リング
１ｄ                      固定リング
１ｅ                      固定リング
２                        拡、縮径摺動筒体
２ａ                      拡、縮径摺動筒体蓋
２ｂ                      拡、縮径摺動筒体拡径部材
２ｃ                      周方向の溝
２ｄ                      テーパー状の勘合部
３ａ                      旋回中心金具
３ａｍ                    複数の切込み部
３ｂ                      ワイヤー
３ｃ                      鉤
４                        圧縮コイルバネ
５ａ                      緩衝筒
５ｂ                      勘合受け筒
５ｃ                      フランジ付きナット
６                        柄
６−１ａ                  メスネジを有する金具
６−１ｂ                  柄の口栓
６−１                    最先端の柄
６−ｎ                    柄の元部材
７                        マジックファスナーベルト
８                        フック付きネット
１６                      振出式小継竿
１６−１ａ                口栓
１６−１                  小継竿の先端部材
１６−ｎ                  小継竿の元部材
【図１】
0003148157.tif 000003
【図２】
0003148157.tif 000004
【図３】
0003148157.tif 000005
【図４】
0003148157.tif 000006
【図５】
0003148157.tif 000007
【図６】
0003148157.tif 000008
【図７】
0003148157.tif 000009
【図８】
0003148157.tif 000010
【図９】
0003148157.tif 000011
【図１０】
0003148157.tif 000012
【図１１】
0003148157.tif 000013
【図１２】
0003148157.tif 000014
【図１３】
0003148157.tif 000015
【手続補正書】
【提出日】平成20年11月17日(2008.11.17)
【手続補正１】
【補正対象書類名】明細書
【補正対象項目名】００２１
【補正方法】変更
【補正の内容】
【００２１】
【図１】第１の実施形態の収納状態を示す要部の縦断正面図
【図２】第１の実施形態の使用状態を示す要部の縦断正面図
【図３】第２の実施形態の収納状態を示す要部の縦断正面図
【図４】第２の実施形態の使用状態を示す要部の縦断正面図
【図５】拡、縮径摺動筒体蓋２ａの縦断正面図
【図６】拡、縮径摺動筒体拡径部材２ｂの平面図、縦断正面図
【図７】旋回中心金具３ａの平面図、縦断正面図
【図８】圧縮コイルバネ４の平面図
【図９】鉤３ｃの平面図、正面図
【図１０】緩衝筒５ａの平面図、縦断正面図
【図１１】勘合受け筒５ｂの平面図、縦断正面図
【図１２】マジックファスナーベルト７の平面図
【図１３】フック付きネット８の平面図